(57)【要約】【課題】ＯＳＤ信号を合成した後の映像信号に対し、ＯＳＤが示す画像の画質に影響を与えることなく、画質調整処理を可能にする。【解決手段】映像表示装置１０は、外部から入力された映像信号１１の画質調整を行う画質調整処理部１２と、外部から入力された映像信号を遅延させる遅延処理部１３と、外部から入力された映像信号中のＯＳＤ表示領域を示す制御信号１４に応じて、画質調整処理部１２の出力と遅延処理部１３の出力を選択してディスプレイ１６に出力する出力選択部１５とを備え、制御信号１４が映像表示領域である場合は画質調整処理部１２の出力を選択し、ＯＳＤ表示領域である場合は遅延処理部１３の出力を選択する。【選択図】図１
2012168400.tif 000002
【特許請求の範囲】
【請求項１】
オンスクリーンデータ（ＯＳＤ）を合成した映像信号と、前記映像信号中のＯＳＤ表示領域を示す制御信号とを出力する映像出力装置と、
前記映像出力装置から入力された映像信号の画質調整を行う画質調整処理部と、前記映像出力装置から入力された映像信号を遅延させる遅延処理部と、前記映像出力装置から入力された制御信号に応じて前記画質調整処理部の出力と前記遅延処理部の出力を選択して出力する出力選択部と、前記出力選択部から出力される映像信号を表示する表示部と、を有する映像表示装置と、を備え、
前記出力選択部は、前記制御信号によって前記映像信号がＯＳＤ表示領域であるかを判定し、前記ＯＳＤ表示領域である場合は前記遅延処理部の出力を映像信号として出力し、前記ＯＳＤ表示領域でない場合は前記画質調整処理部の出力を映像信号として出力する、映像表示システム。
【請求項２】
映像出力装置から送られるオンスクリーンデータ（ＯＳＤ）を合成した映像信号を入力し、前記映像信号を表示する映像表示装置であって、
前記映像出力装置から入力された映像信号の画質調整を行う画質調整処理部と、
前記映像出力装置から入力された映像信号を遅延させる遅延処理部と、
前記映像出力装置から送られる、前記映像信号中のＯＳＤ表示領域を示す制御信号を入力し、前記制御信号に応じて前記画質調整処理部の出力と前記遅延処理部の出力を選択して出力する出力選択部と、
前記出力選択部から出力される映像信号を表示する表示部と、を備え、
前記出力選択部は、前記制御信号によって前記映像信号がＯＳＤ表示領域であるかを判定し、前記ＯＳＤ表示領域である場合は前記遅延処理部の出力を映像信号として出力し、前記ＯＳＤ表示領域でない場合は前記画質調整処理部の出力を映像信号として出力する、映像表示装置。
【請求項３】
映像ソースからの映像信号と、オンスクリーンデータ（ＯＳＤ）を示すＯＳＤ信号とを合成するＯＳＤ信号合成部と、
前記映像信号中のＯＳＤ表示領域を示す制御信号を生成する制御信号生成部と、
前記ＯＳＤ表示領域であるか否かによって前記映像信号の画質調整を行う映像表示装置に対して、前記ＯＳＤ信号を合成した映像信号と、この映像信号に同期した前記制御信号とを出力する信号出力部と、
を備える映像出力装置。
【発明の詳細な説明】
【技術分野】
【０００１】
本発明は、メニュー画面等のオンスクリーンデータ（On Screen Data）（以下、ＯＳＤと記載する）を含んだ映像信号に、画質調整処理を行って表示する映像表示装置に関するものである。
【背景技術】
【０００２】
カーナビゲーションやテレビ等の映像機器においては、文字や図形などのＯＳＤの画像を映像ソースに合成して表示するＯＳＤ機能が搭載されている。合成するＯＳＤの画像としては、例えば、機器設定のメニューやタッチパネルの釦などがあげられる。
【０００３】
これらの映像機器には、表示する映像のコントラスト、色合い、色の濃さといった画質を調整する機能も搭載されているが、上記ＯＳＤが示す画像の画質を調整してしまうと、事前に設計したデザインとは異なる表示となってしまう。
【０００４】
そこで、映像信号に画質調整処理を行った後でＯＳＤ信号を合成する方法や、ＯＳＤ信号の画質に影響を与えずに合成する方法が考案されている。
【０００５】
例えば、従来の映像信号処理技術として、合成前の映像信号に帯域制限を行うことで、ＯＳＤ信号の画質を変化させないものが知られている（例えば特許文献１参照）。
【先行技術文献】
【特許文献】
【０００６】
【特許文献１】特開２００７−３０４２１８号公報
【発明の概要】
【発明が解決しようとする課題】
【０００７】
しかしながら、従来の映像信号処理技術においては、ＯＳＤ信号を合成する前の映像信号が入力される状態においてのみ効果を有するものであり、ＯＳＤ信号を合成した後の映像信号に対しては画質調整処理ができない。このため、例えば、商品グレードや仕向けなどによって、表示するＯＳＤの仕様を分ける場合などでは、ＯＳＤ仕様の数だけ映像表示装置が必要となってしまうという問題があった。
【０００８】
本発明は、従来の問題を解決するためになされたもので、ＯＳＤ信号を合成した後の映像信号に対し、ＯＳＤが示す画像の画質に影響を与えることなく、画質調整を行うことのできる映像表示装置を提供することを目的とする。
【課題を解決するための手段】
【０００９】
上記目的を達成するために本発明は、映像出力装置から送られるオンスクリーンデータ（ＯＳＤ）を合成した映像信号を入力し、前記映像信号を表示する映像表示装置であって、前記映像出力装置から入力された映像信号の画質調整を行う画質調整処理部と、前記映像出力装置から入力された映像信号を遅延させる遅延処理部と、前記映像出力装置から送られる、前記映像信号中のＯＳＤ表示領域を示す制御信号を入力し、前記制御信号に応じて前記画質調整処理部の出力と前記遅延処理部の出力を選択して出力する出力選択部と、前記出力選択部から出力される映像信号を表示する表示部と、を備え、前記出力選択部は、前記制御信号によって前記映像信号がＯＳＤ表示領域であるかを判定し、前記ＯＳＤ表示領域である場合は前記遅延処理部の出力を映像信号として出力し、前記ＯＳＤ表示領域でない場合は前記画質調整処理部の出力を映像信号として出力するものである。
【発明の効果】
【００１０】
本発明によれば、ＯＳＤが示す画像の画質に影響を与えることなく、画質調整を行うことが可能となり、異なるＯＳＤ仕様に対応させる場合でも同じ映像表示装置を使用できる効果を有する。
【図面の簡単な説明】
【００１１】
【図１】本発明の実施の形態１における映像表示装置および映像出力装置の構成を示すブロック図
【図２】本発明の実施の形態における映像信号およびＯＳＤ信号の例を示す図
【図３】ＯＳＤ信号を合成した後の映像信号１フレームの一例を示す図
【図４】本発明の実施の形態１における映像信表示装置の動作説明のためのフロー図
【図５】本発明の実施の形態２における映像表示装置および映像出力装置の構成を示すブロック図
【図６】本発明の実施の形態２における映像信表示装置の動作説明のためのフロー図
【図７】本発明の実施の形態３における映像表示装置および映像出力装置の構成を示すブロック図
【図８】実施の形態３の変形例の構成を示すブロック図
【図９】本発明の実施の形態３における映像信表示装置の動作説明のためのフロー図
【発明を実施するための形態】
【００１２】
以下に述べる実施の形態では、映像ソースである映像信号にＯＳＤ信号を合成した合成映像信号を表示する映像表示装置の構成例を示す。
【００１３】
この種の映像表示装置において、ディスプレイなどの表示デバイスにおける画像の画質は、実際にできあがった装置の表示内容を目視して画質調整（パラメータ設定など）を行うようにしている。この画質調整の量は、表示デバイスの種別や仕向けごとなど、映像表示装置の機種ごとに異なることが多い。例えば、自動車に搭載する映像表示装置では、最終製品となる自動車の仕様に合わせて画質調整を行う必要があるため、映像表示装置の機種数分だけ、画質調整にかかる開発工数がかかることになる。一方、ＯＳＤの仕様（色度、明度、彩度など）は、メーカごとに複数機種で統一を図るなど、厳密に規定されていることが多く、これを変更することはできない。
【００１４】
上記のような制約がある状況下で、映像信号とＯＳＤ信号を合成した後の合成映像信号に対して画質調整を行うと、要求されるＯＳＤの仕様から外れてしまう問題が生じる。そこで、本実施の形態では、ＯＳＤ信号を合成した後の映像信号に対して、ＯＳＤの表示領域を除いた表示領域のみに画質調整を行えるようにした映像表示装置の構成について説明する。
【００１５】
（実施の形態１）
以下、本発明の実施の形態１における映像表示装置について図面を参照しながら説明する。
【００１６】
図１は本発明の実施の形態１における映像表示装置および映像出力装置の構成を示すブロック図である。
【００１７】
映像表示装置１０は、映像出力装置５０と接続され、映像出力装置５０から入力される映像信号１１の表示を行うものである。映像表示装置１０は、映像出力装置５０から入力された映像信号１１の画質調整を行う画質調整処理部１２と、映像出力装置５０から入力された映像信号１１を遅延させる遅延処理部１３とを備える。また、映像表示装置１０は、映像出力装置５０から入力された制御信号１４に応じて画質調整処理部１２の出力と遅延処理部１３の出力のいずれかを選択してディスプレイ１６に出力する出力選択部１５を備える。また、映像表示装置１０は、ユーザからの操作指示を入力する操作入力部１７と、操作入力部１７に入力された信号を処理して操作入力情報１９として出力する入力制御部１８とを備える。
【００１８】
画質調整処理部１２は、演算によって映像信号のコントラスト、色合い、色の濃さを変化させるための、例えば乗算器や加算器によって構成される。この画質調整処理部１２は、映像出力装置５０から入力される映像信号１１に対して画質調整の処理を行う。遅延処理部１３は、映像信号を遅延させるための、例えば遅延器などによって構成される。この遅延処理部１３は、画質調整処理部１２における処理時間に合わせて、映像信号１１に対して所定時間の遅延を行う。
【００１９】
また、出力選択部１５は、例えばスイッチなどによって構成され、制御信号１４に従って入力の切り替えを行い、画質調整処理部１２の出力または遅延処理部１３の出力を選択して出力する。ディスプレイ１６は、例えば液晶表示パネルなどによって構成され、出力選択部１５から出力される映像信号を入力し、映像の表示を行う。
【００２０】
操作入力部１７は、例えばタッチパネル、操作釦、リモコン受光部などによって構成され、ユーザの入力操作による操作指示を入力する。入力制御部１８は、例えばプロセッサおよびメモリを有するマイコンなどによって構成され、操作入力部１７より伝送される操作入力信号の処理を行い、操作入力情報１９として外部に出力する。
【００２１】
なお、操作入力部１７は、映像出力装置５０側に設けても良い。この場合、入力制御部１８も映像出力装置５０側に移動することで、装置間での入力情報の伝達がなくなり、装置の構成および処理手順を簡単化できる。
【００２２】
なお、映像表示装置１０において、操作入力部１７およびディスプレイ１６以外の構成要素は、一つのＩＣによって構成することも可能である。
【００２３】
映像出力装置５０は、映像表示装置１０に対して映像信号１１および制御信号１４を出力して提供するものであり、操作内容解析部５１、ＯＳＤ信号生成部５２、ＯＳＤ信号合成部５４を備える。操作内容解析部５１は、例えばプロセッサおよびメモリを有するマイコンなどによって構成され、映像表示装置１０の入力制御部１８から与えられる操作入力情報１９の解析処理を行い、ＯＳＤ信号生成部５２およびＯＳＤ信号合成部５４に対して動作指示を行う。
【００２４】
ＯＳＤ信号生成部５２は、例えばデジタル信号処理回路などによって構成され、所定のＯＳＤを表示するためのＯＳＤ信号を生成する。ＯＳＤ信号合成部５４は、例えばデジタル信号処理回路などによって構成され、映像ソース５３から与えられる映像信号とＯＳＤ信号生成部５２から出力されるＯＳＤ信号との合成処理を行う。このＯＳＤ信号合成部５４は、ＯＳＤ合成後の映像信号１１と、ＯＳＤが表示される領域を示す制御信号１４とを出力する。この場合、ＯＳＤ信号合成部５４が制御信号生成部および信号出力部の機能を含んでいる。
【００２５】
映像ソース５３は、ＯＳＤ合成前の表示用の映像信号のソースであり、ＤＶＤプレーヤ、ＢＤ（Blu-ray Disc）（商標）プレーヤ、カメラ、ビデオデッキ、ＴＶチューナ、ナビゲーション装置、外部入力機器など、映像信号を出力できる装置であればどのようなものでも良い。
【００２６】
なお、映像出力装置５０において、映像ソース５３以外の構成要素は、一つのＩＣによって構成することも可能である。
【００２７】
図２は本発明の実施の形態における映像信号およびＯＳＤ信号の例を示す図である。映像出力装置５０から出力される映像信号１１は、垂直同期信号や水平同期信号などとともに、映像データを１ピクセルずつに分解した信号で表現される。
【００２８】
映像信号１１は、垂直同期信号（ＶＳＹＮＣ）１２１、水平同期信号（ＨＳＹＮＣ）１２２、データ有効信号（ＤＥ）１２３、データ信号１２４を含んでいる。水平同期信号１２２の間において、水平方向の各ラインのピクセルデータが存在する位置は、データ有効信号１２３がハイレベル（以下、Ｈレベル）となっている。このデータ有効信号１２３のＨレベルに合わせて、データ信号１２４において０〜ｍピクセルのピクセルデータが配置されている。
【００２９】
図２の例では、データ信号１２４のｋ＋１ライン目において、０ピクセル目からｍピクセル目までのうち、ｊ＋１ピクセル目からｊ＋ｘピクセル目にＯＳＤが合成されたものが示されている。制御信号１４は、映像信号１１のデータ信号１２４におけるＯＳＤの位置に対応して、Ｈレベルとなる信号である。
【００３０】
すなわち、制御信号１４は、出力している映像信号１１に対して、ＯＳＤが表示されている領域（ＯＳＤ表示領域）にある場合はハイレベル（以下、Ｈレベル）、ＯＳＤが表示されていない元の映像の領域（映像表示領域）にある場合はローレベル（以下、Ｌレベル）となるデジタル信号で表現される。映像出力装置５０は、映像信号１１に同期して制御信号１４を出力する。なお、制御信号１４において、ＨレベルとＬレベルの論理は逆であっても構わない。
【００３１】
図３は映像出力装置５０から出力される映像信号の例として、ＯＳＤ信号を合成した後の映像信号１フレームの一例を示した図である。図３では、映像信号１フレームを表示した状態での映像イメージ１３０を示している。映像信号において、映像データ１３１にはＯＳＤ１３２が合成されている。図３の例は、図２に示した映像信号１１および制御信号１４の例に対応して、ＯＳＤ１３２を合成した例である。この場合、ＯＳＤ１３２は、ｋ＋１ライン目からｙライン分、ｊ＋１ピクセル目からｘピクセル分の矩形領域に表示されている。制御信号１４は、このＯＳＤ１３２が表示されるピクセルの部分だけがＨレベルとなる。
【００３２】
なお、図３の例では、ＯＳＤ１３２が１個の矩形領域となっているが、１フレーム中に複数個ある場合や、矩形領域でなくても良い。
【００３３】
以上のように構成された映像表示装置１０および映像出力装置５０について、以下にその処理動作を説明する。
【００３４】
映像表示装置１０において、ユーザが操作入力部１７より入力操作を行うと、入力制御部１８は、操作入力部１７から伝送される操作入力信号の処理を行い、操作入力情報１９として映像出力装置５０の操作内容解析部５１に送信する。操作入力情報１９としては、押下した操作釦の識別情報、タッチパネルにおいてタッチした位置の座標情報などが想定される。
【００３５】
映像出力装置５０において、操作内容解析部５１は、操作入力情報１９を解析してユーザの操作内容を判断する。ここで、ＯＳＤの表示（以下、ＯＳＤ表示）が必要な場合には、操作内容解析部５１は、ＯＳＤ信号生成部５２に対し表示するＯＳＤ信号の生成指示を行い、ＯＳＤ信号合成部５４に対しＯＳＤ信号の合成指示を行う。
【００３６】
なお、映像表示装置１０側で操作入力部１７の操作内容の解析、ＯＳＤ信号の生成および合成の指示を行っても良い。あるいは、操作入力部１７の出力を直接、映像出力装置５０側に伝送しても良い。
【００３７】
ＯＳＤ信号生成部５２は、操作内容解析部５１からの生成指示に従い、ＯＳＤを表示するためのＯＳＤ信号を生成する。ＯＳＤ信号合成部５４は、操作内容解析部５１からの生成指示に従い、映像信号とＯＳＤ信号とを合成する。そして、合成後の映像信号として、映像ソース５３から入力される映像信号の一部を、ＯＳＤ信号生成部５２から入力されるＯＳＤ信号に書き換えた映像信号１１と、どの部分をＯＳＤ信号に書き換えたかを示す制御信号１４とを、映像表示装置１０に出力する。
【００３８】
映像表示装置１０において、画質調整処理部１２は、入力された映像信号１１の画質調整処理を行って、出力選択部１５に出力する。遅延処理部１３は、入力された映像信号１１を画質調整処理部１２の処理時間に合わせて遅延させ、出力選択部１５に出力する。
【００３９】
出力選択部１５は、制御信号１４に基づき、画質調整処理部１２から出力される映像信号と遅延処理部１３から出力される映像信号のいずれかを選択し、ディスプレイ１６に出力する。ここで、制御信号１４は映像信号１１に同期しているため、遅延処理部１３での映像信号１１の遅延処理と同様に、制御信号１４についても、出力選択部１５の内部または外部に設けた遅延回路によって画質調整処理部１２の処理時間に合わせて遅延させる。ディスプレイ１６は、出力選択部１５から出力される映像信号の表示を行う。これにより、ＯＳＤが重畳された映像がディスプレイ１６の表示画面に表示される。
【００４０】
図４は本発明の実施の形態１における映像表示装置１０の動作を示すフローチャートである。図４では出力選択部１５の動作を中心に示している。
【００４１】
まず、映像出力装置５０から映像表示装置１０に入力された映像信号１１は、画質調整処理部１２と遅延処理部１３の両方に入力される。画質調整処理部１２では、映像信号のコントラスト、色合い、色の濃さなどを調整して出力選択部１５に出力する。遅延処理部１３では、画質調整処理部１２の処理時間と同じ時間だけ映像信号を遅延して出力選択部１５に出力する。
【００４２】
この状態において、出力選択部１５では、映像出力装置５０から入力された制御信号１４のＨ／Ｌレベルによって、映像信号中の対象ピクセルがＯＳＤ表示領域であるか（制御信号１４がＯＳＤ表示領域を示すＨレベルであるか）を判断する（ステップＳ１００）。ＯＳＤ表示領域（制御信号１４がＨレベル）である場合（ステップＳ１００でＹＥＳの場合）には、出力選択部１５は、ディスプレイ１６に出力する信号を遅延処理部１３で遅延させた映像信号に変更する（ステップＳ１０１）。一方、映像表示領域（制御信号１４が映像表示領域を示すＬレベル）である場合（ステップＳ１００でＮＯの場合）には、出力選択部１５は、ディスプレイ１６に出力する信号を画質調整処理部１２で画質調整した映像信号に変更する（ステップＳ１０２）。
【００４３】
以上のように本実施の形態１によれば、映像信号中のＯＳＤ表示領域を示す制御信号が映像表示領域であるかＯＳＤ表示領域であるかに応じて、画質調整処理部の出力と遅延処理部の出力を選択することにより、ＯＳＤを含む映像信号に対して映像表示領域のみ画質調整処理を行うことができる。このとき、映像信号において、ＯＳＤ表示領域をピクセル単位で除外して映像表示領域のみに画質調整を実行可能である。したがって、ＯＳＤ信号が合成された後の映像信号であってもＯＳＤが示す画像の画質を変化させることなく画質調整を行うことができる。本実施の形態は、制御信号を用いて表示領域によって画質調整処理した映像信号と画質調整を行わない映像信号とを切り替える構成のため、簡単な構成で実現でき、汎用性を持たせることが可能である。
【００４４】
なお、本実施の形態１において、出力選択部１５とディスプレイ１６の間に画質に影響を与えない別の処理が含まれていても構わない。このような処理の例としては、ディスプレイ１６に映像を表示するためのタイミングの調整処理やテスト映像を表示するための処理などがある。
【００４５】
なお、本実施の形態１において、ＯＳＤを表示するトリガーとしてユーザの入力操作を例にあげたが、これ以外にも映像ソースで再生中の曲やチャプター、ＴＶ番組が変わったことをトリガーにしても良い。
すなわち、本実施の形態１の構成に、映像ソースから再生中の曲やチャプター、ＴＶ番組の変更を通知する信号を受け、通知内容の解析処理を行い、ＯＳＤ信号生成部５２およびＯＳＤ信号合成部５４に対して動作指示を行う処理部を追加する構成としても良い。この場合、ユーザの操作によるＯＳＤ表示以外の場合であっても、ＯＳＤが示す画像の画質を変化させることなく画質調整を行うことが可能となる。
【００４６】
（実施の形態２）
以下、本発明の実施の形態２における映像表示装置について図面を参照しながら説明する。
【００４７】
図５は本発明の実施の形態２における映像表示装置および映像出力装置の構成を示すブロック図である。
本実施の形態において、実施の形態１と同様の構成については同一符号を付し、その詳細な説明は省略する。
【００４８】
実施の形態２の映像表示装置２０は、実施の形態１において設けられた出力選択部１５がなくなり、外部から入力された制御信号１４に応じて、外部から入力された映像信号１１を画質調整処理部１２あるいは遅延処理部１３に出力する入力切替部２１を備える。また、映像表示装置２０は、画質調整処理部１２と遅延処理部１３の出力を合成してディスプレイ１６に出力する出力合成部２２を備える。その他の構成は実施の形態１と同様である。
【００４９】
以上のように構成された映像表示装置２０について、以下にその処理動作を説明する。
図６は本発明の実施の形態２における映像表示装置２０の動作を示すフローチャートである。図６では入力切替部２１の動作を中心に示している。
【００５０】
本発明の実施の形態２の場合、入力切替部２１において、映像出力装置５０から入力された制御信号１４がＯＳＤ表示領域を示しているか判断する（ステップＳ２００）。
【００５１】
制御信号１４がＯＳＤ表示領域を示している（Ｈレベルである）場合（ステップＳ２００でＹＥＳの場合）には、入力切替部２１は、映像出力装置５０から入力された映像信号１１を遅延処理部１３に出力するとともに、画質調整処理部１２に出力する信号をゼロにする。
【００５２】
反対に、制御信号１４が映像表示領域を示している（Ｌレベルである）場合（ステップＳ２００でＮＯの場合）には、入力切替部２１は、映像出力装置５０から入力された映像信号１１を画質調整処理部１２に出力するとともに、遅延処理部１３に出力する信号をゼロにする。
【００５３】
出力合成部２２では、画質調整処理部１２の出力と遅延処理部１３の出力を合成してディスプレイ１６に出力する。このとき、入力切替部２１によって、画質調整処理部１２と遅延処理部１３のいずれか一方の出力はゼロとなるため、合成した出力は画質調整処理部１２と遅延処理部１３のいずれかの出力と同じになり、実施の形態１の出力選択部１５と同じ動作を実現することができる。
【００５４】
以上のように本実施の形態２によれば、映像信号中のＯＳＤ表示領域を示す制御信号が映像表示領域であるかＯＳＤ表示領域であるかに応じて、映像信号の入力経路を切り替えて画質調整処理部または遅延処理部に入力させることにより、映像表示領域のみ画質調整処理を行うことができる。このため、ＯＳＤ信号が合成された後の映像信号であってもＯＳＤが示す画像の画質を変化させることなく画質調整を行うことができる。本実施の形態は、制御信号を用いて表示領域によって映像信号の入力を画質調整処理部または遅延処理部に切り替える構成のため、簡単な構成で実現でき、汎用性を持たせることが可能である。
【００５５】
なお、本実施の形態２において、出力合成部２２とディスプレイ１６の間に画質に影響を与えない別の処理が含まれていても構わない。このような処理の例としては、ディスプレイ１６に映像を表示するためのタイミングの調整処理やテスト映像を表示するための処理などがあげられる。
【００５６】
（実施の形態３）
以下、本発明の実施の形態３における映像表示装置について図面を参照しながら説明する。
【００５７】
図７は本発明の実施の形態３における映像表示装置および映像出力装置の構成を示すブロック図である。
本実施の形態において、実施の形態１と同様の構成については同一符号を付し、その詳細な説明は省略する。
【００５８】
実施の形態３の映像表示装置３０は、外部から入力された通信信号６５に含まれる映像信号１フレーム中のＯＳＤ表示領域情報を格納するメモリ３１を備える。また、映像表示装置３０は、外部から入力された映像信号１１とメモリ３１の内容からＯＳＤ表示領域内かどうかを判定し、判定結果に応じて制御信号１４を出力する判定部３２を備える。その他の構成は実施の形態１と同様である。
【００５９】
メモリ３１に格納されるＯＳＤ表示領域情報は、図３における映像データ１３１中のＯＳＤ１３２の表示位置を示すものである。ＯＳＤ表示領域情報として、例えば、（１）映像データ１３１の左上を原点としてＯＳＤ１３２の左上（始点）と右下（終点）の座標をピクセル数とライン数で表現する方法、（２）映像データ１３１の１ライン毎にＯＳＤ１３２の開始位置と終了位置をピクセル数で表現する方法、などがある。（１）の方法では、２フレーム分のメモリを用意しておき、出力中の映像信号の１フレーム先の情報をメモリに書き込むようにする。（２）の方法では、２ライン分のメモリを用意しておき、出力中の映像信号の１ライン先の情報をメモリに書き込むようにする。この場合、（１）の方法ではＯＳＤが示す画像の形状が矩形の場合にしか対応できないが、３箇所以上の座標を格納する方法や（２）の方法を使うことで矩形以外の形状であっても対応できる。
【００６０】
なお、メモリに書き込む情報は、出力中の映像信号よりも先の情報であれば１フレームや１ライン以上先であってもよい。その場合、先に行くほどメモリが多く必要となる。
【００６１】
映像出力装置６０は、通信信号６５を生成する通信信号生成部６１を備え、操作内容解析部５１およびＯＳＤ信号合成部５４の動作が実施の形態１と一部異なっている。その他の構成は実施の形態１と同様である。
【００６２】
操作内容解析部５１は、通信信号生成部６１に対して表示するＯＳＤ信号の情報を送信する。ＯＳＤ信号合成部５４は、操作内容解析部５１からの生成指示に従い、映像信号とＯＳＤ信号とを合成し、合成後の映像信号１１のみを映像表示装置３０に出力する。
【００６３】
通信信号生成部６１は、入力されるＯＳＤ信号の情報から、ＯＳＤが合成される領域の座標やピクセル位置を示すＯＳＤ表示領域情報を含む通信信号６５を生成し、映像表示装置３０に出力する。
【００６４】
映像表示装置３０は、映像出力装置６０から通信信号６５を受信すると、通信信号６５に含まれるＯＳＤ表示領域情報をメモリ３１に書き込む。判定部３２は、メモリ３１からＯＳＤ表示領域情報を読み取り、映像信号１１の同期信号から算出したピクセル位置がＯＳＤ表示領域内かどうかを判定し、判定結果を出力選択部１５に出力する。
【００６５】
なお、実施の形態３では、通信信号として伝送する情報内容を変更した変形例が考えられる。図８は実施の形態３の変形例の構成を示すブロック図である。
【００６６】
実施の形態３の変形例は、映像出力装置７０において、通信信号生成部７１が生成出力する通信信号７５の情報内容が異なり、これに対応して、映像表示装置４０において、判定部４２およびメモリ４１の機能が異なっている。その他の構成は実施の形態３と同様である。
【００６７】
映像出力装置７０の通信信号生成部７１は、入力されるＯＳＤ信号の情報から、表示するＯＳＤを識別するためのＩＤ情報（ＯＳＤ仕様情報、ＯＳＤ識別情報）を含む通信信号７５を生成し、映像表示装置４０に出力する。
【００６８】
映像表示装置４０の判定部４２は、映像出力装置７０から通信信号７５を受信すると、通信信号７５に含まれるＩＤ情報をもとに、メモリ４１からＩＤ情報に対応するＯＳＤ表示領域情報を読み出す。ここで、メモリ４１には、複数のＯＳＤ仕様にそれぞれ対応するＯＳＤ表示領域情報をテーブル等によって格納している。そして、判定部４２は、映像信号１１の同期信号から算出したピクセル位置がＯＳＤ表示領域内かどうかを判定し、判定結果を出力選択部１５に出力する。
【００６９】
以上のように構成された映像表示装置３０について、以下にその処理動作を説明する。なお、変形例の映像表示装置４０についても同様である。
【００７０】
図９は本発明の実施の形態３における映像表示装置３０の動作を示すフローチャートである。図９では判定部３２と出力選択部１５の動作を中心に示している。
【００７１】
本発明の実施の形態３の場合、あらかじめ映像出力装置６０からの通信信号６５により、１フレーム中のＯＳＤ表示領域情報をメモリ３１に書き込んでいる。
【００７２】
この状態において、判定部３２は、映像出力装置６０から入力された映像信号１１の１フレーム中のライン数とピクセル数をカウントする（ステップＳ３００）。そして、判定部３２は、メモリ３１に書き込まれているＯＳＤ表示領域情報から、映像信号１１の現在のピクセル位置がＯＳＤ表示領域内かどうかに応じて制御信号１４を出力する（ステップＳ３０１）。このとき、実施の形態１と同様のＯＳＤ表示領域がＨレベルとなる制御信号１４を出力する。
【００７３】
出力選択部１５では、判定部３２から出力された制御信号１４がＯＳＤ表示領域を示しているか判断する（ステップＳ１００）。制御信号１４がＯＳＤ表示領域を示している（Ｈレベルである）場合（ステップＳ１００でＹＥＳの場合）には、出力選択部１５は、ディスプレイ１６に出力する信号を遅延処理部１３で遅延させた映像信号に変更する（ステップＳ１０１）。一方、制御信号１４が映像表示領域を示している（Ｌレベルである）場合（ステップＳ１００でＮＯの場合）には、出力選択部１５は、ディスプレイ１６に出力する信号を画質調整処理部１２で画質調整した映像信号に変更する（ステップＳ１０２）。
【００７４】
以上のように本実施の形態３によれば、映像出力装置から伝送された通信信号を用いてメモリに格納したＯＳＤ表示領域情報を読み出し、映像信号の現在位置がＯＳＤ表示領域内かどうかに応じて、画質調整処理部の出力と遅延処理部の出力を選択することにより、ＯＳＤを含む映像信号に対して映像表示領域のみ画質調整処理を行うことができる。このため、ＯＳＤ信号が合成された後の映像信号であってもＯＳＤが示す画像の画質を変化させることなく画質調整を行うことができる。本実施の形態は、通信信号を用いて表示領域によって画質調整処理した映像信号と画質調整を行わない映像信号とを切り替える構成のため、簡単な構成で実現でき、汎用性を持たせることが可能である。
【００７５】
なお、本実施の形態３において、出力選択部１５とディスプレイ１６の間に画質に影響を与えない別の処理が含まれていても構わない。このような処理の例としては、ディスプレイ１６に映像を表示するためのタイミングの調整処理やテスト映像を表示するための処理などがあげられる。
【００７６】
なお、本実施の形態３において、実施の形態２と同様に、出力選択部１５の代わりに入力切替部２１および出力合成部２２を設けて入力側で表示領域ごとの画質調整の有無を切り替えることも可能である。
【００７７】
本発明に係る実施形態の種々の態様として、以下のものが含まれる。
オンスクリーンデータ（ＯＳＤ）を合成した映像信号と、前記映像信号中のＯＳＤ表示領域を示す制御信号とを出力する映像出力装置と、前記映像出力装置から入力された映像信号の画質調整を行う画質調整処理部と、前記映像出力装置から入力された映像信号を遅延させる遅延処理部と、前記映像出力装置から入力された制御信号に応じて前記画質調整処理部の出力と前記遅延処理部の出力を選択して出力する出力選択部と、前記出力選択部から出力される映像信号を表示する表示部と、を有する映像表示装置と、を備え、前記出力選択部は、前記制御信号によって前記映像信号がＯＳＤ表示領域であるかを判定し、前記ＯＳＤ表示領域である場合は前記遅延処理部の出力を映像信号として出力し、前記ＯＳＤ表示領域でない場合は前記画質調整処理部の出力を映像信号として出力する、映像表示システム。
上記構成により、ＯＳＤ信号を合成した後の映像信号に対し、ＯＳＤ表示領域以外の映像表示領域のみに画質調整を行うことが可能となる。これにより、ＯＳＤが示す画像の画質に影響を与えることなく、画質調整を行うことが可能となり、異なるＯＳＤ仕様に対応させる場合でも同じ映像表示装置を使用できる。
【００７８】
映像出力装置から送られるオンスクリーンデータ（ＯＳＤ）を合成した映像信号を入力し、前記映像信号を表示する映像表示装置であって、前記映像出力装置から入力された映像信号の画質調整を行う画質調整処理部と、前記映像出力装置から入力された映像信号を遅延させる遅延処理部と、前記映像出力装置から送られる、前記映像信号中のＯＳＤ表示領域を示す制御信号を入力し、前記制御信号に応じて前記画質調整処理部の出力と前記遅延処理部の出力を選択して出力する出力選択部と、前記出力選択部から出力される映像信号を表示する表示部と、を備え、前記出力選択部は、前記制御信号によって前記映像信号がＯＳＤ表示領域であるかを判定し、前記ＯＳＤ表示領域である場合は前記遅延処理部の出力を映像信号として出力し、前記ＯＳＤ表示領域でない場合は前記画質調整処理部の出力を映像信号として出力する、映像表示装置。
上記構成により、ＯＳＤ信号を合成した後の映像信号に対し、ＯＳＤ表示領域以外の映像表示領域のみに画質調整を行えるので、ＯＳＤが示す画像の画質に影響を与えることなく、画質調整を行うことが可能となる。
【００７９】
映像ソースからの映像信号と、オンスクリーンデータ（ＯＳＤ）を示すＯＳＤ信号とを合成するＯＳＤ信号合成部と、前記映像信号中のＯＳＤ表示領域を示す制御信号を生成する制御信号生成部と、前記ＯＳＤ表示領域であるか否かによって前記映像信号の画質調整を行う映像表示装置に対して、前記ＯＳＤ信号を合成した映像信号と、この映像信号に同期した前記制御信号とを出力する信号出力部と、を備える映像出力装置。
上記構成により、映像表示装置において、ＯＳＤ信号を合成した後の映像信号に対し、ＯＳＤ表示領域以外の映像表示領域のみに画質調整を行うことができ、ＯＳＤが示す画像の画質に影響を与えることなく、画質調整を行うことが可能となる。
【００８０】
映像出力装置から送られるオンスクリーンデータ（ＯＳＤ）を合成した映像信号を入力し、前記映像信号を表示する映像表示装置であって、前記映像信号の画質調整を行う画質調整処理部と、前記映像信号を遅延させる遅延処理部と、前記映像出力装置から送られる、前記映像信号中のＯＳＤ表示領域を示す制御信号を入力し、前記制御信号に応じて前記映像出力装置から入力された映像信号を前記画質調整処理部または前記遅延処理部に入力させる入力切替部と、前記画質調整処理部の出力と前記遅延処理部の出力を合成して出力する出力合成部と、前記出力合成部から出力される映像信号を表示する表示部と、を備え、前記入力切替部は、前記制御信号によって前記映像信号がＯＳＤ表示領域であるかを判定し、前記ＯＳＤ表示領域である場合は前記映像信号を前記遅延処理部に入力し、前記ＯＳＤ表示領域でない場合は前記映像信号を前記画質調整処理部に入力する、映像表示装置。
【００８１】
映像出力装置から送られるオンスクリーンデータ（ＯＳＤ）を合成した映像信号を入力し、前記映像信号を表示する映像表示装置であって、前記映像出力装置から入力された映像信号の画質調整を行う画質調整処理部と、前記映像出力装置から入力された映像信号を遅延させる遅延処理部と、前記ＯＳＤの表示領域を示すＯＳＤ表示領域情報を格納するメモリと、前記メモリのＯＳＤ表示領域情報によってＯＳＤ表示領域であるかを判定し、前記映像信号中のＯＳＤ表示領域を示す制御信号を出力する判定部と、前記制御信号に応じて前記画質調整処理部の出力と前記遅延処理部の出力を選択して出力する出力選択部と、前記出力選択部から出力される映像信号を表示する表示部と、を備え、前記出力選択部は、前記制御信号によって、前記ＯＳＤ表示領域である場合は前記遅延処理部の出力を映像信号として出力し、前記ＯＳＤ表示領域でない場合は前記画質調整処理部の出力を映像信号として出力する、映像表示装置。
【００８２】
なお、本発明は、本発明の趣旨ならびに範囲を逸脱することなく、明細書の記載、並びに周知の技術に基づいて、当業者が様々な変更、応用することも本発明の予定するところであり、保護を求める範囲に含まれる。また、発明の趣旨を逸脱しない範囲で、上記実施形態における各構成要素を任意に組み合わせてもよい。
【産業上の利用可能性】
【００８３】
本発明は、ＯＳＤ信号を合成した後の映像信号に対し、ＯＳＤが示す画像の画質に影響を与えることなく、画質調整を行うことが可能となる効果を有し、例えば、商品グレードや仕向けに応じてＯＳＤの仕様を分ける場合など、異なるＯＳＤ仕様に対応させる場合であっても、同一の装置で画質調整処理を行える映像表示装置等の技術として有用である。
【符号の説明】
【００８４】
１０、２０、３０、４０  映像表示装置
１１  映像信号
１２  画質調整処理部
１３  遅延処理部
１４  制御信号
１５  出力選択部
１６  ディスプレイ
１７  操作入力部
１８  入力制御部
１９  操作入力情報
２１  入力切替部
２２  出力合成部
３１、４１  メモリ
３２、４２  判定部
５０、６０  映像出力装置
５１  操作内容解析部
５２  ＯＳＤ信号生成部
５３  映像ソース
５４  ＯＳＤ信号合成部
６１、７１  通信信号生成部
６５、７５  通信信号
１３１  映像データ
１３２  ＯＳＤ
【図１】
2012168400.tif 000003
【図２】
2012168400.tif 000004
【図３】
2012168400.tif 000005
【図４】
2012168400.tif 000006
【図５】
2012168400.tif 000007
【図６】
2012168400.tif 000008
【図７】
2012168400.tif 000009
【図８】
2012168400.tif 000010
【図９】
2012168400.tif 000011